(57)【要約】【課題】  フィルタの交換作業を容易かつ清浄に行うことができるとともに、ハウジング内の液体を容易に回収することができ、フィルタの交換作業性を向上させる。【解決手段】  袋体２１内にフィルタ２２を収納してなるフィルタユニット２０を、袋体２１の底部２１ａを折り畳んでその底部２１ａに袋体２１内の液体が流入しにくい状態でハウジング１０内に収納し、フィルタ２２の交換をフィルタユニット２０ごと行うように構成する。フィルタユニット２０をハウジング本体１１から取り出す際には、袋体２１内の液体が底部２１ａに流入し、袋体２１がハウジング本体１１の内壁に圧接する状態が解消されてフィルタユニット２０を取り出しやすい。【選択図】      図２
2005254089.tif 000002
【特許請求の範囲】
【請求項１】
液体の供給口および排出口が設けられたハウジングと、
このハウジング内に出し入れ可能に封入されるフィルタとを備え、
前記供給口から供給した液体が、前記フィルタを通過して前記排出口から排出されるようになされた液体用フィルタ装置において、
前記ハウジング内に可撓性を有する袋体を有し、この袋体の内部に前記フィルタが収納され、
前記袋体は、その容積が前記ハウジングの容積よりも大であって、該ハウジング内に封入された状態で圧縮部が設けられることを特徴とする液体用フィルタ装置。
【発明の詳細な説明】
【技術分野】
【０００１】
本発明は、ハウジング内に収納したフィルタによって液体を濾過し、清浄化した液体をハウジング外に取り出す形式の液体用フィルタ装置に係り、特に、塗工装置に具備される塗液のフィルタとして好適な液体用フィルタ装置に関する。
【背景技術】
【０００２】
液体用フィルタ装置の一般的な構造例として、ハウジング内に収納されたフィルタに液体を通過させて濾過し、濾過された液体をハウジング外に排出させるものがある（例えば特許文献１，２等）。
【０００３】
【特許文献１】特開平８−１９２００６号公報
【特許文献２】実開平６−７０８１３号公報
【発明の開示】
【発明が解決しようとする課題】
【０００４】
上記のような構造のフィルタ装置にあっては、濾過機能が低下して要交換となったフィルタを新規のフィルタに交換するには、ハウジングからフィルタを取り出すことになるが、その際にフィルタから液体が垂れるなどして周囲を汚染させてしまうという不具合が生じやすかった。また、ハウジング内の液体を回収する場合、ハウジングが固定されていたりするとその回収作業が困難になるといった問題があった。
【０００５】
よって本発明は、フィルタの交換作業を容易かつ清浄に行うことができるとともに、ハウジング内の液体を容易に回収することができ、もってフィルタの交換作業性が向上する液体用フィルタ装置の提供を目的としている。
【課題を解決するための手段】
【０００６】
本発明は、液体の供給口および排出口が設けられたハウジングと、このハウジング内に出し入れ可能に封入されるフィルタとを備え、供給口から供給した液体が、フィルタを通過して排出口から排出されるようになされた液体用フィルタ装置において、ハウジング内に、可撓性を有する袋体を有し、この袋体の内部にフィルタが収納され、袋体は、その容積がハウジングの容積よりも大であって、該ハウジング内に封入された状態で圧縮部が設けられることを特徴としている。ここで言う袋体の圧縮部とは、袋体を折り返したり、潰したり、あるいはたたんだりして、内部空間を無くすか小さくすることによって、ハウジング内に収納されるようにした部分であり、袋体の底部に設けやすい。
【０００７】
本発明によると、濾過すべき液体はハウジングの供給口から袋体内に供給され、フィルタを通過することにより濾過され、濾過された清浄な液体は排出口から装置外に排出される。フィルタを交換する際には、フィルタを袋体ごとハウジング外に取り出し、新規の袋体およびフィルタをハウジング内に収納してセットする。液体が付着しているフィルタを単独でハウジング外に取り出すのではなく、袋体に収納した状態で取り出すので、周囲を汚染することなく清浄にフィルタを交換することができる。また、ハウジング内の液体は袋体内に入っているので、ハウジング内の液体の回収も容易に行うことができる。
【０００８】
上記袋体の内部は、供給口から供給されてフィルタを通過するように流動する液体で充満した状態になるが、容積がハウジングよりも大きいので、袋体はハウジングの内壁に圧力がかかった状態で接触する。このように袋体がハウジングの内壁に圧接した状態であるため、フィルタの交換時に袋体をハウジングから取り出す際には、圧接による摩擦で抵抗が生じ、取り出しにくくなる。ところが本発明では、袋体をハウジングから出していくと圧縮部が徐々に解かれて容積が増えていき、その増えていく内部空間に液体が流入していく。これによって袋体をハウジングの内壁に圧接していた液体による圧力は低くなり、袋体がハウジングの内壁に圧接する力が弱まったり、袋体がハウジングの内壁から離れたりする。このため、袋体をハウジングから容易に取り出すことができる。
【発明の効果】
【０００９】
本発明のフィルタ装置によれば、フィルタを袋体内に収納し、袋体内で液体を濾過するので、フィルタの交換作業を袋体ごと清浄に行うことができるとともに、ハウジング内の液体を容易に回収することができ、しかも、袋体をハウジングから取り出す際には、袋体の圧縮部の内部に液体が流入して袋体がハウジングの内壁に圧接する圧力を低くすることができるので、袋体をハウジングから容易に取り出すことができ、フィルタの交換を容易に行うことができる。これらの結果、フィルタの交換作業性が向上する。
【発明を実施するための最良の形態】
【００１０】
以下、図面を参照して本発明の実施形態を説明する。
図１は一実施形態に係る液体用フィルタ装置を示しており、図１中符号１０はハウジング、２０はハウジング１０内に収納されるフィルタユニットである。ハウジング１０は、有底円筒状のハウジング本体１１と、このハウジング本体１１の上部開口を塞いでハウジング本体１１に着脱自在に取り付けられる蓋体１２とからなる。
【００１１】
フィルタユニット２０は、図２に示すように、可撓性を有する袋体２１の内部に、円筒状のフィルタ２２が収納されたものである。袋体２１は、例えば透明あるいは半透明の耐溶剤性を有する樹脂製であって、その開口には中空円盤状のヘッダ２３が固着されている。フィルタ２２は、内部に液体の供給室２４が形成された円筒状のもので、供給室２４の、上側の開口はヘッダ２３の下面に密接して固着されることにより閉塞され、下側の開口はリング状のプレート２５に密接して固着されている。フィルタ２２には、ヘッダ２３を貫通して供給室２４に連通するパイプ状の供給口２６が設けられている。また、フィルタ２２の中心の中空部は、供給口２６からフィルタ２２を通過して濾過された液体が導かれる排出室２７とされ、この排出室２７には、排出室２７とヘッダ２３内とに内部が連通する排出管２８が配設されている。排出管２８内には、排出室２７内の液体が流入し、その液体は、排出管２８内を上昇してからヘッダ２３内に入り、さらに、ヘッダ２３に設けられた排出口２９からハウジング１０外に排出される。
【００１２】
袋体２１は、横方向に広げた状態でハウジング本体１１の内壁に外周面が全周にわたって当接する容積を有し、縦方向の長さは、フィルタ２２の長さよりも十分に長いもので、図２（ｂ）に示すように、袋体２１の底部（圧縮部）２１ａは、折り畳み可能な中空状態となっている。
【００１３】
フィルタユニット２０は、図１に示すように、ヘッダ２３を上に配してハウジング本体１１内に収納されるが、収納する際には、袋体２１の底部２１ａは、プレート２５とハウジング１０の底面との間の僅かな隙間に折り畳まれた状態となる。
【００１４】
図１に示すように、ハウジング本体１１内にフィルタユニット２０が収納された状態で、上記供給口２６および排出口２９はハウジング本体１１から上方に突出する。ハウジング１０の蓋体１２には、これら供給口２６および排出口２９を通すための挿通孔１３，１４が形成されており、これら挿通孔１３，１４には、継手管１３Ａ，１４Ａがそれぞれ設けられている。
【００１５】
蓋体１２は、ハウジング本体１１の開口内周部に嵌合する内蓋部１２ａと、この内蓋部１２ａの上面に固着された外蓋部１２ｂとからなるもので、内蓋部１２ａをハウジング本体１１の開口内周部に嵌合し、外蓋部１２ｂをハウジング本体１１の上端面に当接させることで、ハウジング本体１１の開口が閉塞される。ハウジング本体１１の上端部の外周面には、周方向に等間隔をおいて、複数のねじロッド３０が、ブラケット３１を介して取り付けられている。これらねじロッド３０は、ブラケット３１に対して、ハウジング１０の外周の接線方向に延びる軸３２を介して傾倒自在に取り付けられている。蓋体１２の外蓋部１２ｂには、ねじロッド３０を通すための挿通孔３３が形成されている。また、蓋体１２の上記挿通孔１３，１４の間には、上記ヘッダ２３を上から押さえ付けるボルト３４がねじ込まれている。
【００１６】
蓋体１２は、ねじロッド３０を立て、これらねじロッド３０に挿通孔３３を通し、挿通孔１３，１４に供給口２６および排出口２９をそれぞれ通し、内蓋部１２ａをハウジング本体１１の開口内周部に嵌合させ、ねじロッド３０にねじ込んだナット３５を外蓋部１２ｂに締め付けることにより、ハウジング本体１１の開口を閉塞して結合される。なお、蓋体１２をハウジング本体１１に取り付ける際には、ボルト３４は外部側に出しておき、蓋体１２を取り付けた後、ねじ込んで先端をヘッダ２３に当接させる。以上により、図１に示すフィルタ装置のセット状態が得られる。
【００１７】
次に、上記実施形態のフィルタ装置の作用を説明する。
図示せぬ供給管および排出管を、継手管１３Ａ，１４Ａにそれぞれ接続し、濾過すべき液体を供給管から供給口２６に送り込む。液体はフィルタ２２の供給室２４に流入し、次いでフィルタ２２を通過して濾過され、排出室２７に至る。さらに濾過された液体は排出室２７から排出管２８を通ってヘッダ２３内から排出口２９に上昇し、装置外に排出される。図１の矢印は液体の流動状態を示している。袋体２１の内部は、流動する液体で充満し、ハウジング１０の内壁に圧力がかかった状態で接触している。
【００１８】
さて、上記の濾過が続いてフィルタ２２の濾過機能が低下したら、稼働を停止し、フィルタ２２を新規なものに交換する。それには、蓋体１２を取り外し、液体が入っているフィルタユニット２０をハウジング本体１１から取り出す。蓋体１２を取り外す際には、ナット３５をねじロッド３０から外した後、ボルト３４をねじ込んでいくと、ボルト３４の先端がヘッダ２３を押し付ける反動で、図３に示すように蓋体１２が上昇してハウジング本体１１から離れるので、次いでその蓋体１２を外す。次に、ヘッダ２３を持ってフィルタユニット２０を持ち上げていく。
【００１９】
袋体２１はハウジング１０の内壁に圧接した状態であるため、その圧接による摩擦で抵抗が生じ取り出しにくいが、ここで、フィルタユニット２０を上下あるいは左右に振りながら持ち上げていくと、袋体２１の底部２１ａが徐々に解放されて袋体２１の容積が増えていき、その増えていく底部２１ａの内部空間に袋体２１内の液体がプレート２５の中央開口から流入していく。これによって袋体２１をハウジング１０の内壁に圧接していた液体による圧力は低くなり、袋体２１がハウジング１０の内壁に圧接する力が弱まり、場合によっては袋体２１がハウジング１０の内壁から離れる。このため、フィルタユニット２０をハウジング本体１１から容易に取り出すことができる。フィルタユニット２０をハウジング本体１１から取り出したら、新規のフィルタユニット２０をハウジング１０内に収納し、蓋体１２を取り付けてセットする。
【００２０】
上記実施形態のフィルタ装置によれば、液体が付着しているフィルタ２２を単独でハウジング本体１１外に取り出すのではなく、フィルタ２２を袋体２１に収納したフィルタユニット２０ごと取り出すので、周囲を汚染することなく清浄にフィルタ２２を交換することができる。また、ハウジング１０内の液体は袋体２１内に入っているので、ハウジング１０内の液体の回収も容易に行うことができる。また、フィルタユニット２０をハウジング１０から取り出す際には、折り畳まれて液体が入っていない袋体２１の底部２１ａに液体を流入させながら持ち上げていくことにより、袋体２１がハウジング１０の内壁に圧接している状態を解消してフィルタユニット２０を容易に取り出すことができる。これらの結果、フィルタ２２の交換作業性が向上する。また、濾過する液体は袋体２１内で流動し、ハウジング本体１１や蓋体１２の内面には付着しないので、これらを清掃することなく、異なる種類の液体を速やかに濾過することができるという利点もある。
【図面の簡単な説明】
【００２１】
【図１】本発明の一実施形態に係るフィルタ装置の側断面図である。
【図２】一実施形態のフィルタ装置を構成するフィルタユニットの（ａ）上面図、（ｂ）側断面図である。
【図３】一実施形態のフィルタ装置の蓋体を取り外す過程を示す側断面図である。
【図４】一実施形態のフィルタ装置のフィルタユニットをハウジング本体から取り出す状態を示す側断面図である。
【符号の説明】
【００２２】
１０…ハウジング、１１…ハウジング本体、１２…蓋体、２０…フィルタユニット、
２１…袋体、２１ａ…底部（圧縮部）、２２…フィルタ、２６…供給口、
２９…排出口。
【図１】
2005254089.tif 000003
【図２】
2005254089.tif 000004
【図３】
2005254089.tif 000005
【図４】
2005254089.tif 000006